(57)【要約】  【課題】１日おき沸上設定を容易に設定でき、無駄な沸き上げを防いで消費電力を低減できる電気温水器11を提供する。  【解決手段】１日おき沸上設定ボタン23で１日おき沸上を設定すれば、日送り判定手段38による日送り判定に基づいて１日おきに沸上日と沸上停止日とを設定する。沸上日には、ヒータ15で貯湯タンク12内の湯水を沸き上げる。沸上停止日には、ヒータ15による湯水の沸き上げを停止する。１日おき沸上設定を容易に設定でき、無駄な沸き上げを防いで消費電力を低減できる。  【選択図】図１
2005164149.tif 000002
【特許請求の範囲】
【請求項１】
貯湯タンクと、
この貯湯タンク内の湯水を沸き上げる沸上手段と、
日送りを判定する日送り判定手段と、
１日おき沸上を設定する１日おき沸上設定手段と、
この１日おき沸上設定手段によって１日おき沸上が設定された場合に前記日送り判定手段による日送り判定に基づいて１日おきに沸上日と沸上停止日とを設定し、沸上日に沸上手段によって湯水を沸き上げさせ、沸上停止日に沸上手段による湯水の沸き上げを停止させる制御手段と
を具備していることを特徴とする電気温水器。
【請求項２】
１日おき沸上設定の設定によって表示する１日おき沸上設定表示部と、沸上日および沸上停止日に対応して表示する沸上表示部とを有する表示手段を具備している
ことを特徴とする請求項１記載の電気温水器。
【請求項３】
深夜電力の投入および遮断に応じた情報を取得する深夜電力情報取得手段を具備し、
日送り判定手段は、深夜電力情報取得手段からの深夜電力の遮断情報に基づいて日送りする
ことを特徴とする請求項１または２記載の電気温水器。
【請求項４】
制御手段は、深夜電力の投入前に１日おき沸上設定が設定された場合にはその日を沸上停止日に設定し、深夜電力の投入後に１日おき沸上設定が設定された場合にはその日の沸上手段による湯水の沸き上げを実行して次の日を沸上停止日に設定する
ことを特徴とする請求項３記載の電気温水器。
【発明の詳細な説明】
【技術分野】
【０００１】
本発明は、貯湯タンク内に湯水を沸き上げて貯湯する電気温水器に関する。
【背景技術】
【０００２】
従来、電気温水器では、例えば深夜電力の通電時間帯において貯湯タンク内に配置されたヒータに通電して貯湯タンク内の湯水を沸き上げて貯湯し、この貯湯タンク内に貯湯された湯を給湯している。
【０００３】
電気温水器のヒータへの通電は、深夜電力の通電時間帯に毎日行われているが、旅行などで数日留守にしたり、特定の曜日にしか湯を使用しない場合などの使用状況に応じて通電を停止する例えば週間予約機能や沸上停止日数設定機能を有しており、その機能は使用者が設定するようになっている。
【０００４】
週間予約機能は、１週間のうち各曜日について通電日と通電しない日と設定する機能である（例えば、特許文献１参照。）。また、沸上停止日数設定機能は、設定した設定日より設定日数だけ通電を停止する機能である。
【特許文献１】特公平１−６０７５０号公報（第４−６頁、第５−９図）
【発明の開示】
【発明が解決しようとする課題】
【０００５】
ところで、電気温水器を使用する家族構成が貯湯タンクの容量に対し少人数であったり、あるいは生活パターンにより毎日湯を沸き上げる必要がない家庭では、毎日沸き上げる必要がなく、１日おきに沸き上げればよい場合がある。
【０００６】
しかし、従来の電気温水器では、継続して１日おきに沸き上げるように設定することができなかった。１日おきに沸き上げるためには、毎日、使用者が電気温水器のスイッチを手動により入・切するしかなく、手間がかかる。そのため、多くの場合は電気温水器のスイッチを切り換えることをせず、毎日沸き上げており、無駄な電力消費が生じている。
【０００７】
また、従来の週間予約機能を使用しても、１週間は奇数日であるため１日おきの沸上設定はできず、１週間おきに設定しなおさなければならず、また、沸上停止日数設定機能は、設定したとき限りの機能であり、かつ１日だけの沸上停止設定はできない。
【０００８】
本発明は、このような点に鑑みなされたもので、１日おき沸上設定を容易に設定でき、無駄な沸き上げを防いで消費電力を低減できる電気温水器を提供することを目的とする。
【課題を解決するための手段】
【０００９】
請求項１記載の電気温水器は、貯湯タンクと、この貯湯タンク内の湯水を沸き上げる沸上手段と、日送りを判定する日送り判定手段と、１日おき沸上を設定する１日おき沸上設定手段と、この１日おき沸上設定手段によって１日おき沸上が設定された場合に前記日送り判定手段による日送り判定に基づいて１日おきに沸上日と沸上停止日とを設定し、沸上日に沸上手段によって湯水を沸き上げさせ、沸上停止日に沸上手段による湯水の沸き上げを停止させる制御手段とを具備しているものである。
【００１０】
そして、この構成では、１日おき沸上設定手段によって１日おき沸上を設定すれば、日送り判定手段による日送り判定に基づいて１日おきに沸上日と沸上停止日とを設定し、沸上日に沸上手段によって湯水を沸き上げ、沸上停止日に沸上手段による湯水の沸き上げを停止するため、１日おき沸上設定を容易に設定可能で、無駄な沸き上げを防いで消費電力を低減可能になる。
【００１１】
請求項２記載の電気温水器は、請求項１記載の電気温水器において、１日おき沸上設定の設定によって表示する１日おき沸上設定表示部と、沸上日および沸上停止日に対応して表示する沸上表示部とを有する表示手段を具備しているものである。
【００１２】
そして、この構成では、表示手段の１日おき沸上設定表示部で１日おき沸上設定が設定された場合に表示するとともに沸上表示部で沸上日および沸上停止日に対応して表示するため、１日おき沸上設定の設定状態、沸上日および沸上停止日をそれぞれ確認可能になる。
【００１３】
請求項３記載の電気温水器は、請求項１または２記載の電気温水器において、深夜電力の投入および遮断に応じた情報を出力する深夜電力情報出力手段を具備し、日送り判定手段は、深夜電力情報出力手段からの深夜電力の遮断情報に基づいて日送りするものである。
【００１４】
そして、この構成では、深夜電力の投入および遮断情報を出力する深夜電力情報出力手段からの深夜電力の遮断情報に基づいて日送りするため、タイマ機能を備えていない場合でも、確実に日送り可能になる。
【００１５】
請求項４記載の電気温水器は、請求項３記載の電気温水器において、制御手段は、深夜電力の投入前に１日おき沸上設定が設定された場合にはその日を沸上停止日に設定し、深夜電力の投入後に１日おき沸上設定が設定された場合にはその日の沸上手段による湯水の沸き上げを実行して次の日を沸上停止日に設定するものである。
【００１６】
そして、この構成では、深夜電力の投入前に１日おき沸上設定が設定された場合にはその日を沸上停止日に設定し、深夜電力の投入後に１日おき沸上設定が設定された場合にはその日の沸上手段による湯水の沸き上げを実行して次の日を沸上停止日に設定するため、深夜電力の投入後の沸上中などの状況に応じて適切に沸上設定が可能になる。
【発明の効果】
【００１７】
請求項１記載の電気温水器によれば、１日おき沸上設定手段によって１日おき沸上を設定すれば、日送り判定手段による日送り判定に基づいて１日おきに沸上日と沸上停止日とを設定でき、沸上日に沸上手段によって湯水を沸き上げ、沸上停止日に沸上手段による湯水の沸き上げを停止するため、１日おき沸上設定を容易に設定でき、無駄な沸き上げを防いで消費電力を低減できる。
【００１８】
請求項２記載の電気温水器によれば、請求項１記載の電気温水器の効果に加えて、表示手段の１日おき沸上設定表示部で１日おき沸上設定が設定された場合に表示するとともに沸上表示部で沸上日および沸上停止日に対応して表示するため、１日おき沸上設定の設定状態、沸上日および沸上停止日をそれぞれ確認できる。
【００１９】
請求項３記載の電気温水器によれば、請求項１または２記載の電気温水器の効果に加えて、深夜電力の投入および遮断情報を出力する深夜電力情報出力手段からの深夜電力の遮断情報に基づいて日送りするため、タイマ機能を備えていない場合でも、確実に日送りできる。
【００２０】
請求項４記載の電気温水器によれば、請求項３記載の電気温水器の効果に加えて、深夜電力の投入前に１日おき沸上設定が設定された場合にはその日を沸上停止日に設定し、深夜電力の投入後に１日おき沸上設定が設定された場合にはその日の沸上手段による湯水の沸き上げを実行して次の日を沸上停止日に設定するため、深夜電力の投入後の沸上中などの状況に応じて適切に沸上設定ができる。
【発明を実施するための最良の形態】
【００２１】
以下、本発明の一実施の形態を図面を参照して説明する。
【００２２】
図１に示すように、電気温水器11は、先止押上式の給湯給水方式を採用したもので、貯湯タンク12を有し、この貯湯タンク12の底部側には水道管に配管される給水管13が設けられ、上部側には給湯場所に配管される給湯管14が設けられ、さらに、貯湯タンク12内の底部側には、貯湯タンク12内の湯水を沸き上げる沸上手段としてのヒータ15が配設されている。また、貯湯タンク12の側面で例えば６０Ｌ、１２０Ｌ、１８０Ｌおよび４３０Ｌなどの各残湯量に対応した高さ位置に、貯湯タンク12内の湯水の温度を検知する例えばサーミスタなどの温度検知素子16が取り付けられている。
【００２３】
この電気温水器11は制御装置17によって制御され、制御装置17には遠隔操作するリモコン18が接続されている。
【００２４】
図２に、リモコン18の蓋を開けた状態を示し、このリモコン18には、沸上に関する各種の設定項目を設定する操作手段21、および時間や設定状態や運転状態などの各種の表示項目を表示する表示手段22が設けられている。
【００２５】
操作手段21には、一度の押動操作で１日おき沸上設定を設定するとともに再度の押動操作で１日おき沸上設定を解除する１日おき沸上設定手段としての１日おき沸上設定ボタン23、時計を設定する時計設定ボタン24などが含まれている。
【００２６】
表示手段22には、１日おき沸上設定の設定によって「１日おき」を表示するとともに設定解除によって表示を消す１日おき沸上設定表示部25、１日おき沸上設定が設定されている状態において沸上停止日には「休」を表示するとともに沸上日には表示を消す沸上表示部26などが含まれている。
【００２７】
図１に示すように、制御装置17は、演算部31を有し、この演算部31には、各温度検知素子16の抵抗変化値がＡ／Ｄ変換部32および温度制御部33を通じてデジタル値に変換するとともに温度値として入力され、深夜電力情報取得手段34から深夜電力の投入および遮断に応じた情報が入力され、リモコン18から操作手段21の操作に応じた信号が入力される。演算部31からは、リモコン18の表示手段22を制御する表示制御部35に表示制御信号を出力し、ヒータ15の通電をオンオフするリレーなどの出力部36にオンオフ制御信号を出力する。さらに、演算部31には、演算部31の各種動作指令、操作手段21からの操作情報、深夜電力の投入および遮断の情報、沸上温度などを記憶するメモリ37が接続されている。
【００２８】
そして、演算部31は、日送りを判定する日送り判定手段38の機能、１日おき沸上設定ボタン23によって１日おき沸上が設定された場合に日送り判定手段38による日送り判定に基づいて１日おきに沸上日と沸上停止日とを設定し、沸上日にヒータ15によって湯水を沸き上げさせ、沸上停止日にヒータ15による湯水の沸き上げを停止させる制御手段39の機能、計時するタイマ40の機能などを有している。
【００２９】
日送り判定手段38は、深夜電力情報取得手段34からの深夜電力の遮断情報に基づいて日送りするか、時計機能を利用して時刻に応じて日送りする機能を有し、いずれか一方を選択設定できる。
【００３０】
制御手段39は、深夜電力の投入前に１日おき沸上設定が設定された場合にはその日を沸上停止日に設定し、深夜電力の投入後に１日おき沸上設定が設定された場合にはその日のヒータ15による湯水の沸き上げを実行して次の日を沸上停止日に設定する機能を有している。
【００３１】
次に、本実施の形態の作用を説明する。
【００３２】
まず、日送り判定手段38が深夜電力情報取得手段34からの深夜電力の遮断情報に基づいて日送りする場合における電気温水器11の動作について、図３のフローチャートを参照して説明する。
【００３３】
なお、日送り判定手段38による日送り条件は、深夜電力の通電時間帯が８時間設定の場合に、深夜電力の投入から７．５時間以上経過し、かつ深夜電力情報取得手段34から深夜電力の遮断信号を受け取った時点とする。
【００３４】
電気温水器11に付設された本体操作部のディップスイッチによって深夜電力の通電時間帯として８時間を設定する（ステップ１）。
【００３５】
深夜電力が投入されることにより（ステップ２）、深夜電力タイマをスタートする（ステップ３）。
【００３６】
深夜電力タイマが７．５時間以上経過するまでは（ステップ４）、時間帯が夜時間であると判断し（ステップ５）、また、深夜電力タイマが７．５時間以上経過した場合には、深夜電力が遮断されるまでは時間帯が夜時間であると判断し（ステップ６）、深夜電力が遮断されれば時間帯が昼時間であると判断する（ステップ７）。１日おき沸上設定ボタン23が押されているか確認する（ステップ８）。
【００３７】
そして、ここでは、１日おき沸上設定が設定されていない状態から、１日おき沸上設定ボタン23を押して１日おき沸上設定を設定した場合について説明する。
【００３８】
リモコン18の１日おき沸上設定表示部25で「１日おき」を表示していないので（ステップ９）、リモコン18の１日おき沸上設定表示部25で「１日おき」を表示（点灯）させるとともに沸上表示部26で「休」マークを表示（点灯）させ（ステップ10）、１日おき沸上設定をしたのが夜時間か確認する（ステップ11）。１日おき沸上設定をしたのが夜時間の場合にのみ、設定した夜時間による湯水の沸き上げを継続して翌日の沸き上げを停止させるための当日設定を設定する（ステップ12）。
【００３９】
時間帯が夜時間から昼時間に移ったか確認し（ステップ13）、夜時間であるのでリモコン18の沸上表示部26で「休」マークを表示しているか確認し（ステップ14）、「休」マークを表示しているので当日設定が設定されているか確認する（ステップ15）。１日おき沸上設定をしたのが昼時間の場合には当日設定が設定されていないので沸上を停止する沸上停止日に設定する（ステップ16）。また、１日おき沸上設定をしたのが夜時間の場合には当日設定されているので沸上を許可する沸上日に設定し（ステップ17、18）、沸上を実行する。
【００４０】
ステップ13において、深夜電力の通電時間帯が経過し、深夜電力が遮断されて時間帯が夜時間から昼時間に移ったときには、リモコン18の沸上表示部26で「休」マークを表示しているか確認し（ステップ19）、「休」マークを表示しているので当日設定が設定されているか確認する（ステップ20）。１日おき沸上設定をしたのが昼時間の場合には当日設定が設定されていないので、リモコン18の沸上表示部26の「休」マークを消し（消灯）（ステップ21）、ステップ14→18へ進んで、翌日について沸上を許可する沸上日に設定する。また、１日おき沸上設定をしたのが夜時間の場合には当日設定されているので、当日設定を解除し（ステップ22）、リモコン18の沸上表示部26で「休」マークを表示させ（ステップ23）、ステップ14→15→16の順に進んで、翌日について沸上を停止する沸上停止日に設定する。
【００４１】
そして、具体例をあげれば、例えば、２３：００〜翌朝７：００まで深夜電力を通電し、７：００〜２３：００まで深夜電力を遮断する場合、仮に１０月１日の７：００〜２３：００までに１日おき沸上設定をしたとして、次の表１のように１日おきに沸上日と沸上停止日を設定する。
【００４２】
【表１】
2005164149.tif 000003
【００４３】
また、１日おき沸上設定が設定されている状態から、１日おき沸上設定ボタン23を押して１日おき沸上設定を解除する場合について説明する。
【００４４】
ステップ８において、１日おき沸上設定ボタン23が押された場合、このときリモコン18の１日おき沸上設定表示部25で「１日おき」を表示しているので（ステップ９）、リモコン18の１日おき沸上設定表示部25の「１日おき」を消す（消灯）させるとともに沸上表示部26の「休」マークを消し（消灯）（ステップ24）、ステップ13→14→18へ進んで、毎日の沸上を許可する。
【００４５】
次に、日送り判定手段38が時計機能を利用して時刻に応じて日送りする場合における電気温水器11の動作について、図４のフローチャートを参照して説明する。
【００４６】
時計設定されていれば（ステップ31）、２３：００〜６：５９の時間帯を夜時間および７：００〜２２：５９の時間帯を昼時間として時間帯を検出し（ステップ32）、１日おき沸上設定ボタン23が押されているか確認する（ステップ33）。
【００４７】
そして、ここでは、１日おき沸上設定が設定されていない状態から、１日おき沸上設定ボタン23を押して１日おき沸上設定を設定した場合について説明する。
【００４８】
リモコン18の１日おき沸上設定表示部25で「１日おき」を表示していないので（ステップ34）、リモコン18の１日おき沸上設定表示部25で「１日おき」を表示（点灯）させるとともに沸上表示部26で「休」マークを表示（点灯）させ（ステップ35）、１日おき沸上設定をしたのが夜時間か確認する（ステップ36）。１日おき沸上設定をしたのが夜時間の場合にのみ、設定した夜時間による湯水の沸き上げを継続して翌日の沸き上げを停止させるための当日設定を設定する（ステップ37）。
【００４９】
時間帯が夜時間から昼時間に移ったか確認し（ステップ38）、夜時間であるのでリモコン18の沸上表示部26で「休」マークを表示しているか確認し（ステップ39）、「休」マークを表示しているので当日設定が設定されているか確認する（ステップ40）。１日おき沸上設定をしたのが昼時間の場合には当日設定が設定されていないので沸上を停止する沸上停止日に設定する（ステップ41）。また、１日おき沸上設定をしたのが夜時間の場合には当日設定されているので沸上を許可する沸上日に設定し（ステップ42、43）、沸上を実行する。
【００５０】
ステップ38において、深夜電力の通電時間帯が経過し、深夜電力が遮断されて時間帯が夜時間から昼時間に移ったときには、リモコン18の沸上表示部26で「休」マークを表示しているか確認し（ステップ44）、「休」マークを表示しているので当日設定が設定されているか確認する（ステップ45）。１日おき沸上設定をしたのが昼時間の場合には当日設定が設定されていないので、リモコン18の沸上表示部26の「休」マークを消し（消灯）（ステップ46）、ステップ39→43へ進んで、翌日について沸上を許可する沸上日に設定する。また、１日おき沸上設定をしたのが夜時間の場合には当日設定されているので、当日設定を解除し（ステップ47）、リモコン18の沸上表示部26で「休」マークを表示させ（ステップ48）、ステップ39→40→41の順に進んで、翌日について沸上を停止する沸上停止日に設定する。
【００５１】
また、１日おき沸上設定が設定されている状態から、１日おき沸上設定ボタン23を押して１日おき沸上設定を解除する場合について説明する。
【００５２】
ステップ33において、１日おき沸上設定ボタン23が押された場合、このときリモコン18の１日おき沸上設定表示部25で「１日おき」を表示しているので（ステップ34）、リモコン18の１日おき沸上設定表示部25の「１日おき」を消す（消灯）させるとともに沸上表示部26の「休」マークを消し（消灯）（ステップ49）、ステップ38→39→43へ進んで、毎日の沸上を許可する。
【００５３】
このように、１日おき沸上設定ボタン23によって１日おき沸上を設定すれば、日送り判定手段38による日送り判定に基づいて１日おきに沸上日と沸上停止日とを設定でき、沸上日にヒータ15によって湯水を沸き上げ、沸上停止日にヒータ15による湯水の沸き上げを停止するため、１日おき沸上設定を容易に設定でき、無駄な沸き上げを防いで消費電力を低減できる。
【００５４】
また、リモコン18の表示手段22の１日おき沸上設定表示部25で１日おき沸上設定が設定された場合に「１日おき」表示するとともに沸上表示部26で沸上日および沸上停止日に対応して「休」マークを表示するため、１日おき沸上設定の設定状態、沸上日および沸上停止日をそれぞれ確認できる。
【００５５】
また、深夜電力の投入および遮断情報を出力する深夜電力情報出力手段34からの深夜電力の遮断情報に基づいて日送りする場合には、タイマ機能を備えていなくても、確実に日送りできる。
【００５６】
また、深夜電力の投入前に１日おき沸上設定が設定された場合にはその日を沸上停止日に設定し、深夜電力の投入後に１日おき沸上設定が設定された場合にはその日のヒータ15による湯水の沸き上げを実行して次の日を沸上停止日に設定するため、深夜電力の投入後の沸上中などの状況に応じて適切に沸上設定ができる。
【００５７】
なお、沸上手段としては、ヒータ15に限らず、ヒートポンプユニットを用いることもできる。
【図面の簡単な説明】
【００５８】
【図１】本発明の一実施の形態を示す電気温水器の構成図である。
【図２】同上電気温水器のリモコンの正面図である。
【図３】同上電気温水器の日送りに深夜電力情報を使用した場合のフローチャートである。
【図４】同上電気温水器の日送りに時計機能を使用した場合のフローチャートである。
【符号の説明】
【００５９】
11    電気温水器
12    貯湯タンク
15    沸上手段としてのヒータ
22    表示手段
23    １日おき沸上設定手段としての１日おき沸上設定ボタン
25    １日おき沸上設定表示部
26    沸上表示部
34    深夜電力情報取得手段
38    日送り判定手段
39    制御手段
【図１】
2005164149.tif 000004
【図２】
2005164149.tif 000005
【図３】
2005164149.tif 000006
【図４】
2005164149.tif 000007